(57)【要約】【課題】様々な火災現場により柔軟に対応可能であり、且つ、携帯性を改善した消防用管鎗ユニットを提供する。【解決手段】消火水源に接続され、該消火水の流通を制御するコック部６を有する元パイプ部４と、該消火水を放出するためのスプレイヘッド２と、該元パイプ４と該スプレイヘッド２とを連結する中間パイプ部３とを備えた消防用管鎗ユニット１であって、該元パイプ部４、該中間パイプ部３及び該スプレイヘッド２が同一の接続具１１により着脱自在に接続され、該中間パイプ３を接続する本数に応じて、該管鎗の長さが可変となっている。【選択図】図１
0003172712.tif 000002
【実用新案登録請求の範囲】
【請求項１】
消火水源に接続され、該消火水の流通を制御するコック部を有する元パイプ部と、該消火水を放出するためのスプレイヘッドと、該元パイプと該スプレイヘッドとを連結する中間パイプ部とを備えた消防用管鎗ユニットであって、
該元パイプ部、該中間パイプ部及び該スプレイヘッドが同一の接続具により着脱自在に接続され、
該中間パイプを接続する本数に応じて、該管鎗の長さが可変となっていることを特徴とする消防用管鎗ユニット。
【請求項２】
前記中間パイプは単数又は複数本から成ることを特徴とする請求項１に記載の消防用管鎗ユニット。
【請求項３】
前記接続部が回り止めであることを特徴とする請求項１に記載の消防用管鎗ユニット。
【請求項４】
前記中間パイプの少なくとも１本が曲管であることを特徴とする請求項１に記載の消防用管鎗ユニット。
【請求項５】
前記コック部がボールコックであることを特徴とする請求項１に記載の消防用管鎗ユニット。
【考案の詳細な説明】
【技術分野】
【０００１】
本発明は、船室や天井裏等の消火に用いられる消防用管鎗ユニットに関し、具体的には、管鎗の長さが可変となっている消防用管鎗ユニットに関する。
【背景技術】
【０００２】
従来、屋根裏等の高所や配管が複雑に絡み合った場所で発生した火災を消火するために長尺の消防用管鎗がある。この管鎗はステンレス等の金属で一体に形成された長尺のパイプと、このパイプの先端に接続され消火水を放出するためのスプレイヘッド等の放水部を備えたものであった（例えば、非特許文献１を参照）。
【先行技術文献】
【非特許文献】
【０００３】
【非特許文献１】東京サイレン株式会社、「消防機器カタログ」、ｐ．１４、東京サイレン株式会社発行
【考案の概要】
【考案が解決しようとする課題】
【０００４】
このような従来の消防用管鎗は、長尺であるため火災現場に携帯する際に不便であるという問題があった。又、このような消防用管鎗は、火災現場の状況に応じて、その長さを自由に変化させることが困難であり、そして、消防用管鎗のパイプは、通常、上記箇所の消火を容易とするために先端側が曲がった曲管となっているため、直上付近の消火をするのは困難であるという問題もあった。
【０００５】
そこで、本考案は、様々な火災現場により柔軟に対応可能であり、且つ、携帯性を改善した消防用管鎗ユニットを提供することを目的とする。
【課題を解決するための手段】
【０００６】
本考案は、消火水源に接続され、該消火水の流通を制御するコック部を有する元パイプ部と、該消火水を放出するためのスプレイヘッドと、該元パイプと該スプレイヘッドとを連結する中間パイプ部とを備えた消防用管鎗ユニットであって、該元パイプ部、該中間パイプ部及び該スプレイヘッドが同一の接続具により着脱自在に接続され、該中間パイプを接続する本数に応じて、該管鎗の長さが可変となっていることを特徴とする消防用管鎗ユニットである。
【０００７】
又、本考案は、前記中間パイプは単数又は複数本から成ることを特徴とする消防用管鎗ユニットである。本考案は、前記接続部が回り止めであることを特徴とする消防用管鎗ユニットである。そして、本考案は、前記中間パイプの少なくとも１本が曲管であることを特徴とする消防用管鎗ユニットである。更に、本考案は、前記コック部がボールコックであることを特徴とする消防用管鎗ユニットである。
【考案の効果】
【０００８】
本考案の消防用管鎗ユニットは、元パイプ部、中間パイプ部及びスプレイヘッドが着脱自在に接続されているため、管鎗をこれらに分離することが可能であるため、携帯に利便である。そして、それらが同一の接続具によって着脱自在に接続されているため、火災現場において、必要に応じて中間パイプを接続する本数を変えることによって、その長さを自在に変化させることができる。又、直管状の中間パイプ部又は元パイプ部に直接スプレイヘッドを取り付けることによって、直上付近の消火も容易に行うことが可能である。
【図面の簡単な説明】
【０００９】
【図１】本考案の実施例を示す図であり、消防用管鎗ユニットの組立例を示す図である。
【図２】本考案のスプレイヘッド及び曲管状の中間パイプを示す部分断面図である。
【図３】本考案の直管状の中間パイプを示す部分断面図である。
【図４】本考案の元パイプ部を示す部分断面図である。
【図５Ａ】本考案の接続具を示す図であり、接続前の状態を示す図である。
【図５Ｂ】本考案の接続具を示す図であり、接続後の状態を示す図である。
【考案を実施するための形態】
【００１０】
本考案の実施形態を図１乃至５により説明する。消防用管鎗ユニット１はスプレイヘッド２、単数又は複数本の中間パイプ部３及び元パイプ部４を備える。
【００１１】
元パイプ部４は、筒状の部材であり、消火作業の際に、ホース（図示せず）等を介して消火水源（図示せず）に接続されるための受け金具５、消火水の流通を制御するボールコック部６、及び元パイプ７を備える。本実施形態において、ボールコック部６は略Ｕ字状のハンドル８を有する。このハンドル８を操作することにより、消火作業の際に、消火水は消防用管鎗ユニット１の供給端Ｂ側から放水端Ａ側へと流れることとなる。
【００１２】
スプレイヘッド２は、元パイプ部４を介して供給された消火水を微粒子状とし噴霧するための部材である。本実施形態において、スプレイヘッド２は波状になっており、各谷部９には、放出された消火水が互いに衝突するように形成された１対の放水口１０を備える。
【００１３】
中間パイプ部３は、その内、少なくとも１本が曲管状パイプ３ａであり、残りは、単数又は複数本の直管状パイプ３ｂである。尚、直管状パイプ３ｂは必ずしも消防用管鎗ユニット１に含まれている必要はない。
【００１４】
スプレイヘッド２、中間パイプ部３及び元パイプ部４は、同一の雄雌１対である接続具１１によって、着脱自在に接続できるようになっている。
【００１５】
本実施形態において、接続具１１は所謂、回り止めであり、回り止めビス１２を有する雄部１１ａと該雄部１１ａが嵌着される雌部１１ｂにより構成される。そして、同一の構造の雄部１１ａが中間パイプ部３及び元パイプ部４における元パイプ７の各放水端Ａ側に、同一の構造の雌部１１ｂがスプレイヘッド２及び中間パイプ部３の供給端Ｂ側に設けられている。又、雄部１１ａ近傍及び雌部１１ｂには使用者が各部材を接続する際に把持する際に滑り止めの役割を担う把持部１３を形成されている。
【００１６】
尚、接続具１１は必ずしも回り止めでなくともよく、雄雌の螺条（図示せず）を設け、螺合によってスプレイヘッド２、中間パイプ部３及び元パイプ部４を各々接続してもよい。
【００１７】
本実施形態の消防用管鎗ユニット１の使用法を説明する。消防用管鎗ユニット１はスプレイヘッド１、中間パイプ部３（曲管状パイプ３ａ及び直管状パイプ３ｂ）、元パイプ部４に分解された状態でケースや収納袋等の収納手段（図示せず）に収納され、火災現場に携帯される。そして、使用者は、その手で把持部１３を把持し、スプレイヘッド２、中間パイプ部３及び元パイプ部４の各接続具１１を接続することによって、消防用管鎗ユニット１から管鎗を組立てる。この際、中間パイプ部３を接続する本数を変えることによって、使用者は消防用管鎗ユニット１の長さを自在に変えることができる。
【００１８】
本実施形態では、スプレイヘッド２、中間パイプ部３及び元パイプ部４が同一の接続具、即ち、各雄部１１ａと各雌部１１ｂが同一の構造となっているため、どのパイプ部３，４の雄部１１ａにも他の部材の雌部１１ｂを接続することができるようになっている。つまり、スプレイヘッド２及び元パイプ部４以外の中間パイプ部３は自在に組み合わせることが可能であり、管鎗の最短の長さは元パイプ部４とスプレイヘッド２を直結した長さとなる。又、スプレイヘッド２、曲管状パイプ３ａ、直管状パイプ３ｂ及び元パイプ部４を接続した場合の長さは約２ｍである。
【００１９】
そして、使用者は、消火現場において、屋根裏等の高所や配管が複雑に絡み合った場所で発生した火災を消火する際には、例えば、図１（Ａ）に示すように、スプレイヘッド２、曲管状パイプ３ａ（必要に応じて直管状パイプ３ｂ）及び元パイプ部４を組立てる。又、直上付近を消火する際には、図１（Ｂ）に示すように、この曲管状パイプ３ａに代えて直管状パイプ３ｂを組立てればよい。
【００２０】
その後、元パイプ部４の受金具５を、ホース等を介して消火水源に接続し、ハンドル８の操作により、プレイヘッド２の放水口１０より消火水を微粒子状に噴霧し、火災を窒息消火する。
【００２１】
本実施形態の別の態様として、消防用管鎗ユニット１に、更に雌部１１ｂを有する破壊器具（図示せず）を追加してもよい。例えば、天井裏の火災を消火する際には、消火活動の前段階として破壊器具により天井に穴を開ける必要がある場合があるが、このようにすることで、消防用管鎗ユニット１のみで、天井の穴あけ及び天井裏の消火を行うことが可能となる。この場合、まず始めに、破壊器具を中間パイプ部３又は元パイプ部４に接続し、そして、破壊器具により天井に穴を開け、その後、破壊器具を取り外し、その代わりにスプレイヘッド２を接続し消火活動を行う。
【００２２】
以上のように、本実施形態では、管鎗をスプレイヘッド１、中間パイプ部３（曲管状パイプ３ａ及び直管状パイプ３ｂ）及び元パイプ部４に分解することが可能であるため、管鎗を長尺のまま携帯する必要がなく、分解した状態で火災現場に携帯することが可能である。
【００２３】
又、消防用管鎗ユニット１は、スプレイヘッド１、中間パイプ部３及び元パイプ部４を同一の火災現場の状況に応じて、自在に組み合わせて管鎗とすることが可能であり、接続する中間パイプ部の数に応じてその長さを変えることができる。
【００２４】
更に、曲管状パイプ３ａ及び直管状パイプ３ｂを適宜接続することによって、火災現場の状況に応じて柔軟に対応することが可能である。
【符号の説明】
【００２５】
１      消防用管鎗ユニット    ２      スプレイヘッド        ３      中間パイプ部
３ａ    曲管状パイプ          ３ｂ    直管状パイプ          ４      元パイプ部
５      受金具                ６      ボールコック部        ７      元パイプ
８      ハンドル              ９      谷部                  １０    放水口
１１    接続具                １１ａ  雄部                  １１ｂ  雌部
１２    回り止めビス          １３    把持部                Ａ      放水端
Ｂ      供給端
【図１】
0003172712.tif 000003
【図２】
0003172712.tif 000004
【図３】
0003172712.tif 000005
【図４】
0003172712.tif 000006
【図５Ａ】
0003172712.tif 000007
【図５Ｂ】
0003172712.tif 000008